(57)【特許請求の範囲】
【請求項１】
異なる色の光を出射する複数の発光素子と、
前記複数の発光素子を駆動させる光源駆動手段と、
前記複数の発光素子から出射された光を入力映像信号に応じて空間変調して、スクリーンに投射する画像生成手段と、
前記複数の発光素子の発光期間を示すタイミング信号を前記光源駆動手段に与えるタイミング制御手段と
を有し、
前記タイミング制御手段は、
前記入力映像信号が１／２フレーム期間毎に右目用の信号と左目用の信号に切り換わる場合に、前記各発光素子を前記１／２フレーム期間毎に所定の発光期間だけ発光させる前記タイミング信号を生成するパルス発光モードと、前記各発光素子を時間的に一定強度で発光させる一定発光モードとを有し、
前記パルス発光モード及び前記一定発光モードのいずれかを選択可能である
ことを特徴とする画像表示装置。
【請求項２】
前記画像生成手段は、前記複数の発光素子から出射された光を前記入力映像信号に応じて空間変調するライトバルブを有することを特徴とする請求項１に記載の画像表示装置。
【請求項３】
前記ライトバルブは、前記発光素子毎に備えられ、
前記画像生成手段は、前記ライトバルブの各々によって生成された空間変調された光を合成する合成手段を有する
ことを特徴とする請求項２に記載の画像表示装置。
【請求項４】
前記パルス発光モードにおける前記所定の発光期間は、前記ライトバルブに対する前記入力映像信号に基づく１画面の画像データの書き込みが完了した第１の時点から、前記１画面の画像データの次の１画面の画像データの書き込みが開始される第２の時点までの期間内の期間であることを特徴とする請求項２又は３に記載の画像表示装置。
【請求項５】
前記パルス発光モードにおける前記所定のパルス発光期間は、前記第１の時点から所定の遷移時間が経過した第３の時点から、前記第２の時点までの期間内の期間であることを特徴とする請求項４に記載の画像表示装置。
【請求項６】
前記光源駆動手段は、前記パルス発光モードにおける前記発光素子の発光強度の時間平均値と前記一定発光モードにおける前記発光素子の発光強度の値とが等しくなるように、前記発光素子を駆動させることを特徴とする請求項１乃至５のいずれか１項に記載の画像表示装置。
【請求項７】
複数の発光素子の発光期間を示すタイミング信号をタイミング制御手段から前記複数の発光素子の光源駆動手段に与えるステップと、
前記複数の発光素子が異なる色の光を出射するステップと、
画像生成手段が、前記複数の発光素子から出射された光を入力映像信号に応じて空間変調して、スクリーンに投射するステップと
を有し、
前記入力映像信号が１／２フレーム期間毎に右目用の信号と左目用の信号に切り換わる場合に、前記各発光素子を前記１／２フレーム期間毎に所定の発光期間だけ発光させる前記タイミング信号を生成するパルス発光モードと、前記各発光素子を時間的に一定強度で発光させる一定発光モードとの何れかを選択するステップをさらに有する
ことを特徴とする画像表示方法。
【請求項８】
前記パルス発光モードにおける前記所定の発光期間は、前記画像生成手段のライトバルブに対する前記入力映像信号に基づく１画面の画像データの書き込みが完了した第１の時点から、前記１画面の画像データの次の１画面の画像データの書き込みが開始される第２の時点までの期間内の期間であることを特徴とする請求項７に記載の画像表示方法。
【請求項９】
前記パルス発光モードにおける前記所定のパルス発光期間は、前記第１の時点から所定の遷移時間が経過した第３の時点から、前記第２の時点までの期間内の期間であることを特徴とする請求項８に記載の画像表示方法。
【請求項１０】
前記複数の発光素子が異なる色の光を出射するステップにおいて、前記パルス発光モードにおける前記各発光素子の発光強度の時間平均値と前記一定発光モードにおける前記各発光素子の発光強度の値とが等しくなるように、前記各発光素子を駆動させることを特徴とする請求項７乃至９のいずれか１項に記載の画像表示方法。
【発明の詳細な説明】
【技術分野】
【０００１】
本発明は、スクリーンに右目用の画像と左目用の画像を交互に表示することによって立体映像を表示する画像表示方法及びこの方法を実施可能な画像表示装置に関するものである。
【背景技術】
【０００２】
光源として放電型キセノンランプ、メタルハライドランプ、ハロゲンランプ等の白色ランプを用い、空間変調手段として液晶ライトバルブ又はＤＭＤ（ディジタル・マイクロミラー・デバイス）を用いたＰＴＶ（プロジェクションテレビ）が知られている。また、光源を長寿命化し且つ画像の色再現範囲を拡大するために、光源として発光ダイオード（ＬＥＤ）又は半導体レーザ（ＬＤ）等の発光素子を用いたＰＴＶが実現されつつある（例えば、特許文献１参照）。
【０００３】
また、右目用の画像と左目用の画像をディスプレイに交互に表示し、表示された画像をシャッターメガネを通して観察する立体映像表示装置が知られている（例えば、特許文献２参照）。
【０００４】
【特許文献１】特開２００７−６５６７７号公報（第７頁、図１）
【特許文献２】特開平８−３２７９６１号公報（第３頁）
【発明の開示】
【発明が解決しようとする課題】
【０００５】
しかし、上記従来の画像表示装置によって立体映像を表示するために、右目用の画像と左目用の画像を交互に表示した場合には、右（又は左）目用の画像とその次に表示される左（又は右）目用の画像とを正しく分離できないため（後述する図４の期間Ｔｗに相当する期間）、立体映像が二重像として見えてしまうという問題がある。
【０００６】
そこで、本発明は、上記従来技術の課題を解決するためになされたものであり、その目的は、右目用の画像と左目用の画像を時間的に正しく分離して表示することによって、高品質な立体映像を表示することができる画像表示装置及び画像表示方法を提供することにある。
【課題を解決するための手段】
【０００７】
本発明の画像表示装置は、異なる色の光を出射する複数の発光素子と、前記複数の発光素子を駆動させる光源駆動手段と、前記複数の発光素子から出射された光を入力映像信号に応じて空間変調して、スクリーンに投射する画像生成手段と、前記複数の発光素子の発光期間を示すタイミング信号を前記光源駆動手段に与えるタイミング制御手段とを有し、前記タイミング制御手段は、前記入力映像信号が１／２フレーム期間毎に右目用の信号と左目用の信号に切り換わる場合に、前記各発光素子を前記１／２フレーム期間毎に所定の発光期間だけ発光させる前記タイミング信号を生成するパルス発光モードと、前記各発光素子を時間的に一定強度で発光させる一定発光モードとを有し、前記パルス発光モード及び前記一定発光モードのいずれかを選択可能であることを特徴としている。
【０００８】
また、本発明の画像表示方法は、複数の発光素子の発光期間を示すタイミング信号をタイミング制御手段から前記複数の発光素子の光源駆動手段に与えるステップと、前記複数の発光素子が異なる色の光を出射するステップと、画像生成手段が、前記複数の発光素子から出射された光を入力映像信号に応じて空間変調して、スクリーンに投射するステップとを有し、前記入力映像信号が１／２フレーム期間毎に右目用の信号と左目用の信号に切り換わる場合に、前記各発光素子を前記１／２フレーム期間毎に所定の発光期間だけ発光させる前記タイミング信号を生成するパルス発光モードと、前記各発光素子を時間的に一定強度で発光させる一定発光モードとの何れかを選択するステップをさらに有することを特徴としている。
【発明の効果】
【０００９】
本発明によれば、入力映像信号が１／２フレーム期間毎に右目用の信号と左目用の信号に切り換わる場合に、右目用の画像と左目用の画像を正しく分離して表示できるので、二重映像の現れない、高品質な立体映像を表示することができるという効果を得ることができる。
【発明を実施するための最良の形態】
【００１０】
実施の形態１．
図１は、本発明の実施の形態１に係る画像表示装置（すなわち、実施の形態１に係る画像表示方法を実施する装置）の構成を概略的に示すブロック図である。図１に示されるように、実施の形態１に係る画像表示装置は、映像データＤ０及び同期信号Ｓ０を受信する受信部１と、赤色画像用フレームメモリ（「赤用フレームメモリ」とも言う。）２Ｒと、緑色画像用フレームメモリ（「緑用フレームメモリ」とも言う。）２Ｇと、青色画像用フレームメモリ（「青用フレームメモリ」とも言う。）２Ｂと、赤色画像用液晶ライトバルブ駆動部（「赤用ライトバルブ駆動部」とも言う。）３Ｒと、緑色画像用液晶ライトバルブ駆動部（「緑用ライトバルブ駆動部」とも言う。）３Ｇと、青色画像用液晶ライトバルブ駆動部（「青用ライトバルブ駆動部」とも言う。）３Ｂとを有している。また、実施の形態１に係る画像表示装置は、タイミング信号Ｓ２ｒ，Ｓ２ｇ，Ｓ２ｂ及びタイミング信号３を生成するタイミング制御手段としてのタイミング制御部４と、光源駆動手段としての発光素子駆動部（「ＬＤ駆動部」とも言う。）５とを有している。
【００１１】
さらに、実施の形態１に係る画像表示装置は、赤色画像用液晶ライトバルブ（「赤用ライトバルブ」とも言う。）６Ｒと、緑色画像用液晶ライトバルブ（「緑用ライトバルブ」とも言う。）６Ｇと、青色画像用液晶ライトバルブ（「青用ライトバルブ」とも言う。）６Ｂと、発光素子としての赤色画像用ＬＤ（「赤色ＬＤ」とも言う。）７Ｒと、発光素子としての緑色画像用ＬＤ（「緑色ＬＤ」とも言う。）７Ｇと、発光素子としての青色画像用ＬＤ（「青色ＬＤ」とも言う。）７Ｂと、赤色画像用のレンズ８Ｒと、緑色画像用のレンズ８Ｇと、青色画像用のレンズ８Ｂと、合成手段としてのダイクロイックレンズ９と、投写レンズ１０と、スクリーン１１とを有している。各色用のライトバルブ６Ｒ，６Ｇ，６Ｂ、各色のＬＤ７Ｒ，７Ｇ，７Ｂ、レンズ８Ｒ，８Ｇ，８Ｂ、ダイクロイックレンズ９、及び投写レンズ１０は、スクリーン１１上にカラー画像を形成する画像生成手段を構成している。また、赤色ＬＤ７Ｒ、緑色ＬＤ７Ｇ、青色ＬＤ７Ｂの代わりに、異なる種類の発光素子である赤色ＬＥＤ、緑色ＬＥＤ、青色ＬＥＤを用いることもできる。
【００１２】
受信部１は、外部映像機器（図示せず）から映像データＤ０及び同期信号Ｓ０を受け取り、映像データＤ０に基づく赤色映像データＤ１ｒ、緑映像データＤ１ｇ、及び青映像データＤ１ｂを出力し、並びに、同期信号Ｓ０に基づくタイミング信号Ｓ１を出力する。
【００１３】
赤用フレームメモリ２Ｒは、受信部１からの赤色映像データＤ１ｒを一時保存し、緑用フレームメモリ２Ｇは、受信部１からの緑映像データＤ１ｇを一時保存し、青用フレームメモリ２Ｂは、受信部１からの青映像データＤ１ｂを一時保存する。赤用フレームメモリ２Ｒは、一時保存された赤色映像データＤ１ｒをタイミング信号Ｓ２ｒに同期してライン毎に順次読み出して、赤用ライトバルブ駆動部３Ｒに出力する。緑用フレームメモリ２Ｇは、一時保存された緑映像データＤ１ｇをタイミング信号Ｓ２ｇに同期してライン毎に順次読み出して、緑用ライトバルブ駆動部３Ｇに出力する。青用フレームメモリ２Ｂは、一時保存された青映像データＤ１ｂをタイミング信号Ｓ２ｂに同期してライン毎に順次読み出して、青用ライトバルブ駆動部３Ｂに出力する。
【００１４】
タイミング制御部４は、タイミング信号Ｓ１に基づいて、赤用フレームメモリ２Ｒと赤用ライトバルブ６Ｒにタイミング信号Ｓ２ｒを出力し、緑用フレームメモリ２Ｇと緑用ライトバルブ６Ｇにタイミング信号Ｓ２ｇを出力し、青用フレームメモリ２Ｂと青用ライトバルブ６Ｂにタイミング信号Ｓ２ｂを出力する。また、タイミング制御部４は、タイミング信号Ｓ１に基づいて、ＬＤ駆動部５にタイミング信号Ｓ３を出力する。実施の形態１においては、タイミング制御部４は、通常の映像を表示する際の駆動モードである一定発光モード（後述する図２において詳細に説明する）と、立体映像を表示する際の駆動モードであるパルス発光モード（後述する図３，４において詳細に説明する）とを有している。一定発光モードは、各色のＬＤ７Ｒ，７Ｇ，７Ｂをそれぞれ、時間的に一定の発光強度で発光させる駆動モードである。パルス発光モードは、入力映像信号が１／２フレーム期間毎に右目用の信号と左目用の信号に切り換わる場合に、各色のＬＤ７Ｒ，７Ｇ，７Ｂを１／２フレーム期間毎に所定の発光期間だけ発光させるタイミング信号Ｓ３を生成する駆動モードである。
【００１５】
赤用ライトバルブ駆動部３Ｒは、ライン毎に順次入力された映像データＤ１ｒをディジタル・アナログ変換し、赤用ライトバルブ６Ｒに画像データＤ２ｒとして送る。緑用ライトバルブ駆動部３Ｇは、ライン毎に順次入力された映像データＤ１ｇをディジタル・アナログ変換し、緑用ライトバルブ６Ｇに画像データＤ２ｇとして送る。青用ライトバルブ駆動部３Ｂは、ライン毎に順次入力された映像データＤ１ｂをディジタル・アナログ変換し、赤用ライトバルブ６Ｂに画像データＤ２ｂとして送る。
【００１６】
ＬＤ駆動部５は、タイミング信号Ｓ３に同期して、赤色ＬＤ７Ｒ、緑色ＬＤ７Ｇ、青色ＬＤ７Ｂのそれぞれに、駆動電流Ｉｒ，Ｉｇ，Ｉｂを供給する。赤色ＬＤ７Ｒ、緑色ＬＤ７Ｇ、青色ＬＤ７Ｂは、駆動電流Ｉｒ，Ｉｇ，Ｉｂが供給されている期間、駆動電流Ｉｒ，Ｉｇ，Ｉｂの強さに応じた強度のレーザ光Ｌｒ０，Ｌｇ０，Ｌｂ０を出射する。
【００１７】
赤用ライトバルブ６Ｒは、入力された画像データＤ２ｒに応じて赤色レーザ光Ｌｒ０を空間変調して赤色の画像光Ｌｒ１を生成する。緑用ライトバルブ６Ｇは、入力された画像データＤ２ｇに応じて緑色レーザ光Ｌｇ０を空間変調して緑色の画像光Ｌｇ１を生成する。青用ライトバルブ６Ｂは、入力された画像データＤ２ｂに応じて青色レーザ光Ｌｂ０を空間変調して青色の画像光Ｌｂ１を生成する。なお、実施の形態１においては、各色のライトバルブ６Ｒ，６Ｇ，６Ｂが透過型液晶ライトバルブである場合を説明しているが、各色のライトバルブ６Ｒ，６Ｇ，６Ｂは反射型液晶ライトバルブであってもよい。また、実施の形態１においては、各色についてライトバルブを備えた場合を説明しているが、ライトバルブとして１台のＤＭＤを用いることも可能である。
【００１８】
各色のライトバルブ６Ｒ，６Ｇ，６Ｂにおいては、入力された画像データＤ２ｒ，Ｄ２ｇ，Ｄ２ｂを元に１フレーム分の画像が形成され、その画像データに従って各画素を透過する光量を決める。透過する光量が多い画素は明るく、透過する光量が少ない画素は暗く表示されるように、入射した光を空間変調する。赤用ライトバルブ６Ｒ、緑用ライトバルブ６Ｇ、青用ライトバルブ６Ｂによって生成された各色の画像光Ｌｒ１，Ｌｇ１，Ｌｂ１は、ダイクロイックレンズ９で合成されてカラー画像光Ｌ２となり、画像光Ｌ２は投写レンズ１０によってスクリーン１１上に拡大投射される。
【００１９】
図２（ａ）乃至（ｃ）は、実施の形態１に係る画像表示装置が通常の映像を表示する際の各色のライトバルブ６Ｒ，６Ｇ，６Ｂの表示状態と各色のＬＤ７Ｒ，７Ｇ，７Ｂの発光波形（一定発光モード）を示す図である。図２（ａ）乃至（ｃ）に示されるように、各色のライトバルブ６Ｒ，６Ｇ，６Ｂには、フレーム周期で各色の画像データが順次入力されてる。フレーム周波数は、一般的には６０Ｈｚである。ただし、フレーム周波数の値は、６０Ｈｚに限定されない。また、各色のＬＤ７Ｒ，７Ｇ，７Ｂから出射されるレーザ光の強度Ｐｃｒ，Ｐｃｇ，Ｐｃｂは、互いに同じ値である場合又は異なる値である場合のいずれの場合もある。ただし、実施の形態１において、ＬＤ７Ｒ，７Ｇ，７Ｂから出射されるレーザ光の強度Ｐｃｒ，Ｐｃｇ，Ｐｃｂは、時間的にほぼ一定である。
【００２０】
図３（ａ）乃至（ｃ）は、実施の形態１に係る画像表示装置が立体映像を表示する際の各色のライトバルブ６Ｒ，６Ｇ，６Ｂの表示状態と各色のＬＤ７Ｒ，７Ｇ，７Ｂの発光波形（パルス発光モード）を示す図である。図３（ａ）乃至（ｃ）に示されるように、実施の形態１においては、タイミング制御部５は、入力映像信号が１／２フレーム期間毎に右目用の信号と左目用の信号に切り換わる場合に、各発光素子を１／２フレーム期間毎に所定の発光期間だけ発光させるタイミング信号を生成するパルス発光モードを有する。
【００２１】
右目用の画像データが各色のライトバルブ６Ｒ，６Ｇ，６Ｂに形成されている状態で、各色のＬＤ７Ｒ，７Ｇ，７Ｂをパルス状に発光させることで、スクリーン１１にも右目用の画像が発光期間と同時間表示される。次に、左目用の画像データが各色のライトバルブ６Ｒ，６Ｇ，６Ｂに形成されている状態で、各色のＬＤ７Ｒ，７Ｇ，７Ｂをパルス状に発光させることで、スクリーン１１にも左目用の画像が発光期間と同時間表示されることになる。このように右目用の画像と左目用の画像を交互にスクリーン１１に表示し、表示された画像をシャッターメガネを通して見ることによって、立体映像を見ることができる。
【００２２】
図４（ａ）及び（ｂ）は、図３（ａ）乃至（ｃ）の１／２フレーム期間を拡大して示す図であり、同図（ａ）は、立体映像を表示する際における各色のライトバルブ６Ｒ（又は６Ｇ又は６Ｂ）の表示状態を示し、同図（ｂ）は、立体映像を表示する際における各色のＬＤ７Ｒ（又は７Ｇ又は７Ｂ）の発光波形（パルス発光モード）を示す。
【００２３】
実施の形態１に係る画像表示装置のパルス発光モードにおける所定の発光期間（図４（ａ）及び（ｂ）における期間Ｔｄ）は、ライトバルブ６Ｒ（又は６Ｇ又は６Ｂ）に対する入力映像信号に基づく１画面の画像データＤ２ｒ（又はＤ２ｇ又はＤ２ｂ）の書き込みが完了した第１の時点ｔ１から、１画面の画像データの次の１画面の画像データの書き込みが開始される第２の時点ｔ２までの期間Ｔａ内の期間である。実施の形態１においては、パルス発光モードにおける所定のパルス発光期間Ｔｄは、第１の時点ｔ１から所定の遷移時間Ｔｍが経過した第３の時点ｔ３から、第２の時点ｔ２までの期間Ｔｄである。ただし、パルス発光モードにおける所定のパルス発光期間は、第３の時点ｔ３から第２の時点ｔ２までの期間内において、第３の時点ｔ３から第２の時点ｔ２までの期間よりも短い期間であってもよい。このように、各色のライトバルブ６Ｒ，６Ｇ，６Ｂには、１／２フレーム期間毎に右目用の画像データと左目用の画像データが交互に形成されている。また、各色のＬＤ７Ｒ，７Ｇ，７Ｂから出射されるレーザ光の波形は、画像データに同期した１／２フレーム期間毎に繰り返されるパルス発光波形となっている。
【００２４】
一般に、各色のライトバルブ６Ｒ，６Ｇ，６Ｂには、画像データがライン毎に順次書き込まれるため、１画面分の画像データを書き込むには、書き込み時間Ｔｗが必要である。さらに、各色のライトバルブ６Ｒ，６Ｇ，６Ｂの各画素は、画像データが書き込まれてから画素の状態が安定するまでに遷移時間Ｔｍが必要である。その結果、１／２フレーム期間で画像が安定している期間は、１／２フレーム期間から、書き込み時間Ｔｗと遷移時間Ｔｍを引いた期間Ｔｄとなる。
【００２５】
このように、各色のライトバルブ６Ｒ，６Ｇ，６Ｂに形成されている画像が安定している期間Ｔｄのみ、各色のＬＤ７Ｒ，７Ｇ，７Ｂをパルス発光させるようにすることで、１／２フレーム期間毎に完全に分離した画像をスクリーン１１に表示することができる。また、各色のライトバルブ６Ｒ，６Ｇ，６Ｂに形成されている右目用の画像と左目用の画像が安定している期間のみＬＤ７Ｒ，７Ｇ，７Ｂをパルス発光されることで、右目用の画像と左目用の画像を１／２フレーム期間毎に正しく分離した画像としてスクリーン１１に表示することができる。
【００２６】
ところで、各色のＬＤ７Ｒ，７Ｇ，７Ｂをパルス発光させた場合には、発光時間が短くなるため一定発光させた場合に比べて、スクリーン１１に表示される画像の明るさが低下する。このため、各色のＬＤ７Ｒ，７Ｇ，７Ｂをパルス発光させるときには、各色のＬＤ７Ｒ，７Ｇ，７Ｂのピーク発光強度Ｐｐｒ，Ｐｐｇ，Ｐｐｂを強くすることで、スクリーン１１に表示される画像が暗くなることを防ぐことができる。ＬＤ及びＬＥＤ等の発光素子は、ランプ光源とは異なり、パルス発光させたときのピーク発光強度の調整が容易であり、パルス駆動電流を増やすことで、その発光強度を容易に強くすることができる。このようにパルス発光した場合でも、発光素子のピーク発光強度を強くすることでスクリーン１１に表示されている画像が、暗くなることを防ぐことができる。
【００２７】
実施の形態１に係る画像表示装置によれば、光源駆動手段として発光素子を一定発光させるモードとパルス発光させるモードとを備えるようにし、映像信号の違いにより２モードを切り換えるようにした（例えば、フレーム周波数の違いに基づく自動切り替え、又は、ユーザ操作による切り替え）ことで、通常の映像を表示する以外に、立体映像をも表示できる。また、立体映像の表示に際して、右目用の画像と左目用の画像を時間的に正しく分離して表示できるので、二重映像が現れることはなく、立体画像の画質を向上させることができる。
【００２８】
また、実施の形態１に係る画像表示装置によれば、光源に発光素子を用いているので、パルス発光モードにおけるピーク発光強度を強くすることが容易であり、その画像が暗くならないように表示することができる。
【００２９】
さらに、実施の形態１に係る画像表示装置によれば、各色のＬＤ７Ｒ，７Ｇ，７Ｂに対応してライトバルブ６Ｒ，６Ｇ，６Ｂを備えたので、表示画像に色われが生じ難いという効果がある。
【００３０】
さらにまた、実施の形態１に係る画像表示装置において各色のＬＤ７Ｒ，７Ｇ，７Ｂを期間Ｔｄより短い期間だけパルス発光させた場合には、動画のぼやけが改善される効果がある。
【００３１】
実施の形態２．
図５（ａ）及び（ｂ）は、本発明の実施の形態２に係る画像表示装置（すなわち、実施の形態２に係る画像表示方法を実施する装置）における各色のＬＤの発光強度を示す図であり、同図（ａ）は、一定発光モードを示し、同図（ｂ）は、パルス発光モードを示す。図５（ａ）は、各色のＬＤ７Ｒ（又は７Ｇ又は７Ｂ）を一定発光させたときの発光強度Ｐｃを示し、図５（ｂ）は、各色のＬＤ７Ｒ（又は７Ｇ又は７Ｂ）をパルス発光させたときのピーク発光強度Ｐｐと発光期間Ｔｈを示している。
【００３２】
実施の形態２においては、図５（ａ）に示す一定発光モードにおける１／２フレーム期間Ｔ内の斜線で示す部分の面積と、図５（ｂ）に示すパルス発光モードにおける１／２フレーム期間Ｔ内の斜線で示す部分の面積とが、等しくなるように、各色のＬＤ７Ｒ，７Ｇ，７Ｂを駆動する。図５（ａ）に示す一定発光モードにおける一定の発光強度をＰｃ（ｗａｔｔ）とし、繰り返し時間（１／２フレーム期間）をＴ（秒）とし、図５（ｂ）に示すパルス発光モードにおけるピーク発光強度をＰｐ（ｗａｔｔ）とし、１／２フレーム期間内におけるパルス幅をＴｈ（秒）としたときに、次式
Ｐｃ×Ｔ＝Ｐｐ×Ｔｈ
を満たすように、発光強度Ｐｃ，Ｐｐ及び発光時間Ｔｈを設定する。
この式を変形すると、
Ｐｃ＝Ｐｐ×Ｔｈ／Ｔ
となる。この式は、一定発光モードにおける発光強度Ｐｃと、パルス発光モードにおける発光強度Ｐｐの時間平均が等しくなるように、発光強度Ｐｃ，Ｐｐ及び発光時間Ｔｈを設定することを意味している。また、パルス発光モードにおけるパルス幅Ｔｈは、図４（ａ）及び（ｂ）において説明した期間Ｔｄに等しい値に設定する場合と、期間Ｔｄの範囲内において期間Ｔｄよりも短い期間に設定する場合とがある。
【００３３】
スクリーン１１上に表示される映像の明るさは、各色のＬＤ７Ｒ（又は７Ｇ又は７Ｂ）の発光強度の平均と比例関係になる。一定発光モードにおける発光強度と、パルス発光モードにおける発光強度の時間平均値とを等しくすることによって、立体映像を表示したときの画像の明るさを通常の映像を表示したときの画像の明るさとほぼ同じにすることができる。なお、本発明において、パルス発光モードにおける発光強度の時間平均値と、一定発光モードにおける発光強度の値とを等しくするというときには、両者の値が正確に等しい場合のほかに、両者の値がほぼ同等である場合を含む。
【００３４】
また、実施の形態２において、上記以外の点は、上記実施の形態１の場合と同じである。
【図面の簡単な説明】
【００３５】
【図１】本発明の実施の形態１に係る画像表示装置（すなわち、実施の形態１に係る画像表示方法を実施する装置）の構成を概略的に示すブロック図である。
【図２】（ａ）乃至（ｃ）は、実施の形態１に係る画像表示装置が通常の映像を表示する際の各色のライトバルブの表示状態と各色のＬＤの発光波形（一定発光モード）を示す図である。
【図３】（ａ）乃至（ｃ）は、実施の形態１に係る画像表示装置の立体映像を表示する際の各色のライトバルブの表示状態と各色のＬＤの発光波形（パルス発光モード）を示す図である。
【図４】（ａ）及び（ｂ）は、図３（ａ）乃至（ｃ）の１／２フレーム期間を拡大して示す図であり、（ａ）は、立体映像表示モードにおける液晶ライトバルブの表示状態を示し、（ｂ）は、ＬＤの発光波形（パルス発光モード）を示す。
【図５】（ａ）及び（ｂ）は、本発明の実施の形態２に係る画像表示装置（すなわち、実施の形態２に係る画像表示方法を実施する装置）におけるＬＤの発光強度を示す図であり、（ａ）は、一定発光モードを示し、（ｂ）は、パルス発光モードを示す。
【符号の説明】
【００３６】
１  受信部、  ２Ｒ  赤色画像用フレームメモリ（赤用フレームメモリ）、  ２Ｇ  緑色画像用フレームメモリ（緑用フレームメモリ）、  ２Ｂ  青色画像用フレームメモリ（青用フレームメモリ、  ３Ｒ  赤色画像用液晶ライトバルブ駆動部（赤用ライトバルブ駆動部）、  ３Ｇ  緑色画像用液晶ライトバルブ駆動部（緑用ライトバルブ駆動部）、  ３Ｂ  青色画像用液晶ライトバルブ駆動部（青用ライトバルブ駆動部）、  ４  タイミング制御部、  ５  発光素子駆動部（ＬＤ駆動部）、  ６Ｒ  赤色画像用液晶ライトバルブ（赤用ライトバルブ）、  ６Ｇ  緑色画像用液晶ライトバルブ（緑用ライトバルブ）、  ６Ｂ  青色画像用液晶ライトバルブ（青用ライトバルブ）、  ７Ｒ  赤色画像用ＬＤ（赤色ＬＤ）、  ７Ｇ  緑色画像用ＬＤ（緑色ＬＤ）、  ７Ｂ  青色画像用ＬＤ（青色ＬＤ）、  ８Ｒ  赤色画像用のレンズ、  ８Ｇ  緑色画像用のレンズ、  ８Ｂ  青色画像用のレンズ、  ９  ダイクロイックレンズ、  １０  投写レンズ、  １１  スクリーン。
【図１】
0004804498.tif 000002
【図２】
0004804498.tif 000003
【図３】
0004804498.tif 000004
【図４】
0004804498.tif 000005
【図５】
0004804498.tif 000006